(57)【要約】【課題】発電所の不特定多数の運転員の階級に求められるレベルと分類を各運転員にて絞り込み、学習できる発電所運転員学習システムを得る。【解決手段】クライアント端末２は、学習カテゴリーを示す分類及び学習レベルを示す階級を送信して問題の配信を要求し、ネットワーク１４を介して接続された学習データ管理サーバ１から、要求に応じた問題を受信して解答を送信するように構成され、学習データ管理サーバ１は、要求された分類及び階級に応じた問題を抽出する問題抽出処理部５と、この問題抽出処理部５によって抽出された問題を配信する問題配信処理部６と、クライアント端末２からの解答について正誤判定を行う正誤判定処理部８と、正誤判定処理部８による正誤判定に基づき、分類毎に正解率を算出する正解率算出部９と、この正解率算出部９によって算出された分類毎の正解率を保存する履歴テーブル１０とを有する。【選択図】        図１
2004251951.tif 000002
【特許請求の範囲】
【請求項１】
発電所の運転について学習するための問題を配信して、上記学習を管理する学習データ管理サーバ、及びこの学習データ管理サーバとネットワークを介して接続され、上記学習データ管理サーバによって配信された問題を用いて上記発電所の運転を学習するクライアント端末を備え、上記クライアント端末は、上記学習カテゴリーを示す分類及び学習レベルを示す階級を送信して上記分類及び階級に応じた問題の配信を上記学習データ管理サーバに要求し、上記学習データ管理サーバから上記分類及び階級に応じた問題を受信して上記問題に対する解答を上記学習データ管理サーバに送信するように構成され、上記学習データ管理サーバは、上記クライアント端末によって送信された分類及び階級に応じた問題を抽出する問題抽出処理部と、この問題抽出処理部によって抽出された問題を上記クライアント端末に配信する問題配信処理部と、上記クライアント端末からの解答について正誤判定を行う正誤判定処理部とによって構成されていることを特徴とする発電所運転員学習システム。
【請求項２】
上記学習データ管理サーバは、上記正誤判定処理部による正誤判定に基づき、分類毎に正解率を算出する正解率算出部、及びこの正解率算出部によって算出された分類毎の正解率を保存する履歴テーブルを有することを特徴とする請求項１記載の発電所運転員学習システム。
【請求項３】
上記学習データ管理サーバは、上記正誤判定処理部による正誤判定に基づき復習問題を出題する復習問題抽出部を有することを特徴とする請求項１または請求項２記載の発電所運転員学習システム。
【請求項４】
上記学習データ管理サーバは、上記クライアント端末によって分類毎の出題比率が設定されるように構成され、上記設定された分類毎の出題比率を保存する出題比率管理テーブル、及びこの出題比率管理テーブルに保存された分類毎の出題比率により問題を出題する出題設定処理部を有することを特徴とする請求項１〜請求項３のいずれかに記載の発電所運転員学習システム。
【発明の詳細な説明】
【０００１】
【発明の属する技術分野】
この発明は、例えば原子力発電所、火力発電所、水力発電所などの運転員が業務上必要とする知識と技能を習得するために、運転員の要求により運転員の階級に応じた学習を繰り返し行うようにした発電所運転員学習システムに関するものである。
【０００２】
【従来の技術】
従来の学習システムは、問題用データと解説データを蓄積した問題ファイルと、図形ファイル、詳細解説ファイルと、ユーザ情報を蓄積したユーザファイルと、成績ファイルとを備え、問題ファイルと図形ファイルから問題を出題するものである。また、ユーザの解答に対する正誤判断と問題ファイルから取出した簡易解説とを表示する試験手段と、解説ファイルから詳細解説を取出して表示する学習手段と、ユーザファイルに登録されたユーザについての試験成績の履歴を成績ファイルから取出して表示する履歴表示手段とを有する。（特許文献１参照）
【０００３】
【特許文献１】
特開２０００−８９６５２号公報（段落００２８〜００６５、図１〜５）
【０００４】
【発明が解決しようとする課題】
従来の学習システムは、問題、図形、解説、ユーザプロファイル、成績を学習端末上に具備しており、特定の学習対象者に対応したシステムとなっている。
しかしながら、従来の学習システムでは、運転員の階級と学習対象となる分類に応じて、運転員が業務上必要となる知識に的を絞り、特定された範囲での学習を行うことはできなかった。
また、より知識を必要とする分類について出題比率を増加させて学習することができるようになっていなかった。
【０００５】
この発明は、上記のような課題を解決するためになされたものであり、発電所の不特定多数の運転員の階級に求められるレベルの分類を各運転員にて絞り込み学習できる発電所運転員学習システムを得ることを第１の目的としている。
また、より知識を必要とする分類について出題比率を増加させて学習することができる発電所運転員学習システムを得ることを第２の目的とする。
【０００６】
【課題を解決するための手段】
この発明に係わる発電所運転員学習システムにおいては、発電所の運転について学習するための問題を配信して、学習を管理する学習データ管理サーバ、及びこの学習データ管理サーバとネットワークを介して接続され、学習データ管理サーバによって配信された問題を用いて発電所の運転を学習するクライアント端末を備え、クライアント端末は、学習カテゴリーを示す分類及び学習レベルを示す階級を送信して分類及び階級に応じた問題の配信を学習データ管理サーバに要求し、学習データ管理サーバから分類及び階級に応じた問題を受信して問題に対する解答を学習データ管理サーバに送信するように構成され、学習データ管理サーバは、クライアント端末によって送信された分類及び階級に応じた問題を抽出する問題抽出処理部と、この問題抽出処理部によって抽出された問題をクライアント端末に配信する問題配信処理部と、クライアント端末からの解答について正誤判定を行う正誤判定処理部とによって構成されているものである。
【０００７】
【発明の実施の形態】
実施の形態１．
以下、この発明の実施の形態１を図１に基づいて説明する。
図１は、この発明の実施の形態１による発電所運転員学習システムの構成を示すブロック図である。
図１において、学習データ管理サーバ１は、クライアント端末２とネットワーク１４を介して接続され、運転員の使用するクライアント端末２からの要求を受け、要求内容に基づいた学習問題を配信する。この学習データ管理サーバ１は、次のように構成されている。
運転員の使用するクライアント端末２から、学習カテゴリーを示す分類及び学習レベルを示す階級の要求を受け、分類を定義した分類テーブル３と、運転員の階級または学習したい階級に対応して各問題をレベルにより階級付けした問題テーブル４から問題抽出処理部５により運転員のクライアント端末２から要求された分類と階級に基づく問題のみを抽出する。抽出された問題に対し、問題配信処理部６により、学習データ管理サーバ１から運転員の使用するクライアント端末２へ問題が自動配信される。
運転員のクライアント端末２へ配信された問題に対し、クライアント端末２で解答を選択することにより、解答結果テーブル７へ保存を行う。運転員のクライアント端末２にて問題に対する解答を完了すると、学習データ管理サーバ１は、解答結果テーブル７の解答結果に対して正誤判断を行う正誤判定処理部８にて、各解答に対する正誤を判定する。解答完了した結果の解答結果テーブル７について、分類テーブル３の内容に基づき、分類毎の正解率を正解率算出部９にて算出し、履歴テーブル１０に保存する。保存された正解率は、運転員のクライアント端末２からの要求により、クライアント端末２に表示される。
【０００８】
次に、動作について説明する。
学習データ管理サーバ１にネットワークを介して接続された、クライアント端末２を使用して、運転員は、学習データ管理サーバ１へ運転員自身の階級または学習したい階級及び学習を行いたい対象の分類を選択し、学習データ管理サーバ１へ問題配信の要求を行う。要求を受信した学習データ管理サーバ１は、要求内容である分類と階級の情報に対して、分類テーブル３、問題テーブル４に基づき、問題抽出処理部５から自動的に問題の抽出を行う。抽出された問題に対し、学習データ管理サーバ１の問題配信処理部６から、運転員の使用するクライアント端末２に問題が配信される。運転員のクライアント端末２は、繰り返し問題の内容を確認しながら、学習データ管理サーバ１へ問題の配信を要求することができる。
【０００９】
配信された問題に対し、運転員の使用するクライアント端末２において、運転員により学習及び解答を行う。運転員により解答された結果は、学習データ管理サーバ１の解答結果テーブル７に保存される。運転員のクライアント端末２からは学習を完了するまで、解答結果を自由に変更することが可能である。運転員のクライアント端末２から、学習完了の要求を学習データ管理サーバ１が受信した場合は、学習データ管理サーバ１の正誤判定処理部７にて、運転員が解答した結果である解答結果テーブル６の内容に基づき、正誤判定処理部８により正誤判定が行われる。正誤判定の結果と分類毎の出題数から正解率算出部９により、分類テーブル３の分類毎に正解率を算出する。算出された正解率は、運転員の使用するクライアント端末２により選択された階級、分類によって振り分けられ、学習データ管理サーバ１の履歴テーブル１０に保存される。保存された履歴データは、運転員の使用するクライアント端末２からの要求により、学習データ管理サーバ１から表示することが可能である。
このように履歴データを表示することにより、過去に運転員が学習した問題に対する運転員自身の解答内容、及び学習した時点の階級と選択した分類に対し、正解率を表示することが可能となっている。
【００１０】
実施の形態１によれば、運転員から学習したい分類を指定して要求させ、この分類を元にして問題を出題することにより、的を絞った学習を行うことができ、学習効果を高めることができる。
また、履歴データを表示することにより、経年変化と傾向と対策または、階級の求められるレベルに達成するために必要な情報を取得することができる。
【００１１】
実施の形態２．
以下、この発明の実施の形態２を図２に基づいて説明する。
図２は、この発明の実施の形態２による発電所運転員学習システムの構成を示すブロック図である。
図２において、１〜１０は、図１におけるものと同一のものである。学習データ管理サーバ１に、復習問題抽出部１１を設けている。
実施の形態２は、運転員のクライアント端末２にて問題の解答が完了され、解答結果テーブル７の解答結果に対し、正誤判定処理部７にて、解答に対する正誤を判定した後、解答完了した結果の解答結果データの正誤情報に基づき、復習問題抽出部１１により、不正解問題のみを復習問題として出題するようにした。これにより、不正解問題について反復学習することが可能となる。
【００１２】
実施の形態２によれば、解答結果データの正誤情報に基づき、復習問題抽出部により、不正解問題のみを復習問題として出題するようにしたので、不正解問題について反復学習することが可能となる。
【００１３】
実施の形態３．
以下、この発明の実施の形態３を図３に基づいて説明する。
図３は、この発明の実施の形態３による発電所運転員学習システムの構成を示すブロック図である。
図３において、１〜１０は、図２におけるものと同一のものである。学習データ管理サーバ１に、出題比率管理テーブル１２と、出題設定処理部１３を設けている。
実施の形態３は、運転員のクライアント端末２にて、学習データ管理サーバ１の分類テーブル３に基づき、各分類毎の出題比率を設定できるようにし、設定された結果を出題比率管理テーブル１２に保存するようにした。
問題を開始する場合、出題設定処理部１３にて出題比率管理テーブル１２に保存された設定値内容に基づき、分類毎に設定された出題比率に基づき出題する。
【００１４】
実施の形態３によれば、実施の形態２の不正解問題について反復学習を可能とする復習機能と合わせて、苦手な分類の重点的な学習を行うことが可能である。
【００１５】
【発明の効果】
この発明は、以上説明したように構成されているので、以下に示すような効果を奏する。
発電所の運転について学習するための問題を配信して、学習を管理する学習データ管理サーバ、及びこの学習データ管理サーバとネットワークを介して接続され、学習データ管理サーバによって配信された問題を用いて発電所の運転を学習するクライアント端末を備え、クライアント端末は、学習カテゴリーを示す分類及び学習レベルを示す階級を送信して分類及び階級に応じた問題の配信を学習データ管理サーバに要求し、学習データ管理サーバから分類及び階級に応じた問題を受信して問題に対する解答を学習データ管理サーバに送信するように構成され、学習データ管理サーバは、クライアント端末によって送信された分類及び階級に応じた問題を抽出する問題抽出処理部と、この問題抽出処理部によって抽出された問題をクライアント端末に配信する問題配信処理部と、クライアント端末からの解答について正誤判定を行う正誤判定処理部とによって構成されているので、クライアント端末から学習カテゴリーを示す分類及び学習レベルを示す階級を指定して要求させ、この要求に応じた問題を出題することにより、的を絞った学習を行うことができ、発電所運転の学習効果を高めることができる。
【図面の簡単な説明】
【図１】この発明の実施の形態１による発電所運転員学習システムの構成を示すブロック図である。
【図２】この発明の実施の形態２による発電所運転員学習システムの構成を示すブロック図である。
【図３】この発明の実施の形態３による発電所運転員学習システムの構成を示すブロック図である。
【符号の説明】
１  学習データ管理サーバ、２  クライアント端末、３  分類テーブル、
４  問題テーブル、５  問題抽出処理部、６  問題配信処理部、
７  解答結果テーブル、８  正誤判定処理部、９  正解率算出部、
１０  履歴テーブル、１１  復習問題抽出部、１２  出題比率管理テーブル、
１３  出題設定処理部、１４  ネットワーク。
【図１】
2004251951.tif 000003
【図２】
2004251951.tif 000004
【図３】
2004251951.tif 000005